(57)【要約】      （修正有）【課題】靴の表面に別途付け加えられる靴用滑り止めベルトを提供する。【解決手段】靴の前方に取り付ける滑り止めベルトは、一つのベルト状本体１０と、二つの延伸ベルト２０、３０と、滑り止め部品５０と連結部品４０を含む。ベルト状本体１０と二つの延伸ベルト２０、３０の一端は組み合わせて固定し、並びに、二つの延伸ベルト２０、３０によって環状構造を構成し、靴の前方に通して定位させるための配置口が形成される。二つの延伸ベルト２０、３０の別の一端に取り付けて固定する連結部品４０は、連結位置を変えられる一対のオス連結部４１とメス連結部４２を備える。オス連結部４１とメス連結部４２の連結部品を用いて、環状構造の円周の大きさと配置口の口径の大きさを調整し、並びに、前記環状構造を開くか閉じるかを選択できる。【選択図】図２
0003177564.tif 000002
【実用新案登録請求の範囲】
【請求項１】
ベルト状本体、左延伸ベルト、右延伸ベルト、及び連結部品を含む靴用滑り止めベルトにおいて、前記ベルト状本体は、靴幅に合わせるための長形薄体と、
前記長形薄体の底部から一体延伸する滑り止め部品とを含み、前記長形薄体には左側に位置する第一端線と右側に位置する第二端線を備え、
前記左延伸ベルトには第一内端線と第一外端線を設け、前記第一内端線は前記第一端線に組み合わせて固定し、前記右延伸ベルトには第二内端線と第二外端線とを設け、
前記第二内端線は前記第二端線に組み合わせて固定し、並びに、前記第一外端線と前記第二外端線を隣り合わせて環状構造をつくると、前記環状構造内部には靴の前方に通して定位する配置口が形成され、前記連結部品はそれぞれ前記第一外端線及び第二外端線に組み合わせて固定し、前記環状構造を開くか閉じるかを選択できる、ことを特徴とする靴用滑り止めベルト。
【請求項２】
前記連結部品には連結位置を変えられる一対のオス連結部とメス連結部を含み、前記オス連結部とメス連結部によって、前記環状構造の円周の大きさと前記配置口の口径の大きさを調整することを特徴とする請求項１に記載の靴用滑り止めベルト。
【請求項３】
前記連結部品には連結位置を変えられないオス連結部とメス連結部を含み、前記左延伸ベルト及び右延伸ベルトは伸縮材料によって構成し、並びに伸縮可能な前記延伸ベルトによって前記環状構造の円周の大きさと前記配置口の口径の大きさを変化させることを特徴とする請求項１に記載の靴用滑り止めベルト。
【請求項４】
前記滑り止め部品は前記長形薄体から内側方向に窪む複数の円形の溝によって構成され、並びに、前記円形の溝によって形成される吸盤構造は、
複数の大吸盤と複数の小吸盤を含むことを特徴とする請求項１に記載の靴用滑り止めベルト。
【請求項５】
前記滑り止め部品は前記長形薄体から内側方向に窪む複数の溝によって構成され、並びに、前記溝によって靴底の模様を形成することを特徴とする請求項１に記載の靴用滑り止めベルト。
【請求項６】
前記長形薄体の前部には前記溝を納め、尚且つ貫通しない設定した厚みを備え、並びに、後部を徐々に薄くなることを特徴とする請求項４に記載の靴用滑り止めベルト。
【請求項７】
前記延伸ベルト及び／或いは連結部品の外端面には少なくとも一つの装飾品を設けることを特徴とする請求項１に記載の靴用滑り止めベルト。
【請求項８】
ベルト状本体、左延伸ベルト、右延伸ベルト、及び連結部品を含む靴用滑り止めベルトにおいて、前記ベルト状本体は、靴幅に合わせるための長形薄体と、
長形薄体底部に取り付ける交換可能な滑り止め部品を含み、前記長形薄体には左側に位置する第一端線と右側に位置する第二端線を備え、
前記左延伸ベルトには第一内端線と第一外端線を設け、前記第一内端線は前記第一端線に組み合わせて固定し、前記右延伸ベルトには第二内端線と第二外端線とを設け、
前記第二内端線は前記第二端線に組み合わせて固定し、並びに、前記第一外端線と前記第二外端線を隣り合わせて環状構造をつくると、
前記環状構造内部には靴の前方に通して定位する配置口が形成され、前記連結部品はそれぞれ前記第一外端線及び第二外端線に組み合わせて固定し、
前記環状構造を開くか閉じるかを選択できる、ことを特徴とする靴用滑り止めベルト。
【請求項９】
前記連結部品には連結位置を変えられる一対のオス連結部とメス連結部を含み、前記オス連結部とメス連結部によって、前記環状構造の円周の大きさと前記配置口の口径の大きさを調整することを特徴とする請求項８に記載の靴用滑り止めベルト。
【請求項１０】
前記連結部品には連結位置を変えられないオス連結部とメス連結部を含み、前記左延伸ベルト及び右延伸ベルトは伸縮材料によって構成し、
並びに伸縮可能な前記延伸ベルトによって前記環状構造の円周の大きさと前記配置口の口径の大きさを変化させることを特徴とする請求項８に記載の靴用滑り止めベルト。
【請求項１１】
前記長形薄体には前記交換可能な滑り止め部品に組み合わせる複数のホールを設け、前記交換可能な滑り止め部品には位置限定下敷部と滑り止め体を含み、
前記位置限定下敷部には前記ホールの大きさを超える設定をした幅を備え、前記滑り止め体には設定した高さを備え、前記設定した高さは、前記滑り止め体を前記ホールから十分に突出する高さとし、必要距離を達成することを特徴とする請求項８に記載の靴用滑り止めベルト。
【請求項１２】
前記滑り止め体の上端には設定した幅を備え、該設定した幅は環境の要求に合わせて選択できることを特徴とする請求項１１に記載の靴用滑り止めベルト。
【請求項１３】
前記滑り止め体を上から下向きに前記長形薄体の前記ホールに貫通させると、前記位置限定下敷部は前記交換可能な滑り止め部品の位置を前記長形薄体の上面に限定し、
並びに、靴底によって固定されることを特徴とする請求項１１に記載の靴用滑り止めベルト。
【請求項１４】
前記延伸ベルト及び／或いは連結部品の外側には少なくとも一つの装飾品を設けることを特徴とする請求項８に記載の靴用滑り止めベルト。
【考案の詳細な説明】
【技術分野】
【０００１】
本考案は、輪の大きさを調整できる靴用滑り止めベルト構造に関し、靴表面に取り付けて、靴底の滑り止め構造を変化させる滑り止めベルトに係る。
【背景技術】
【０００２】
現代人の生活水準の向上に従い、レジャー活動はすでに現代人の生活の一部となり、各種活動に用いられる関連道具が生み出された。中でも靴は多くの人が、様々な活動に使用する必需品であり、それには例えば、ゴルフ、バスケット、サッカー、ジョギング、登山、雪の中で着用される靴等がある。
【０００３】
以上に挙げられた例をまとめると、その最大の相違点は滑り止め部品にあるが、市場には、全種類の靴の滑り止め構造を変化させられる物品は非常に少ない。例えば、現有するスニーカーとスパイクシューズは完く異なる種類の靴である。特殊設計された取外し可能なスパイクシューズは、スパイクシューズとスニーカーの特性を同時に兼ね備えるが、それ以外の多くの靴は単一機能だけを有し、二種類の異なる滑り止め構造が必要である。
【０００４】
また、例えばハイヒールにはデザイン上滑り止め効果が備えられていないため、突然の雨や雪、泥道等環境の変化において、滑り止め効果が殆どないレベルに低下することもある。滑り止め構造の設計に突発的な環境変化を考慮に入れていない故に起こるもので、これもまた、滑り止め構造に多様の変化を持たせられない欠点となっている。
【０００５】
また、現在よく見られる靴のタイプは外観が素朴なものであるが、デザイン感、装飾に欠けてしまい、使用者自身によって別の要素を付け加えるには時間も手間もかかるため、新しいタイプのものがデザインされるのを待つか、多くの靴メーカーの中から探し求めることになる。しかし、市場には靴の外側表面に簡単に付け加えられ、かつデザインの美観を備えた物品はない。
【０００６】
靴に対する要望に応える各種滑り止め構造を備えさせるために、迅速な着脱によって利便性を高め、且つ靴の外観に美観を付け加えられる目的を同時に達成する新規物品の研究開発が実に必要とされている。
【考案の概要】
【考案が解決しようとする課題】
【０００７】
本考案の主な目的は、靴の表面に別途付け加えられる滑り止めベルトを提供することにあり、これにより、各種異なるタイプ、大きさの靴に取り付けられ、靴の元々の構造を壊すことなく滑り止め構造を付加させる。
【０００８】
本考案の次の目的は、滑り止めベルト上の滑り止め防止構造を使用上の様々な要望に基づき一体成型方式或いは取外し交換できる方式で構成し、滑り止めベルトの実用性と使用の利便性を向上させることにある。
【０００９】
本考案のもう一つの目的は、滑り止めベルト表面自体に模様をデザインするか、別に装飾部品を備えて、ベルト結合後の靴の美観を高めることにある。
【課題を解決するための手段】
【００１０】
上述の目的を達成するために、本考案の滑り止めベルト及び交換可能な滑り止め部品を備えた滑り止めベルトは、ベルト状本体、左延伸ベルト、右延伸ベルト、及び連結部品を含む。前記ベルト状本体は、靴幅に合わせるための長形薄体と、長形薄体から延伸して設置される滑り止め部品とを含む。前記長形薄体には左側に位置する第一端線と右側に位置する第二端線を備え、前記左延伸ベルトには第一内端線と第一外端線を設け、前記第一内端線は前記第一端線に組み合わせて固定する。前記右延伸ベルトには第二内端線と第二外端線とを設け、前記第二内端線は前記第二端線に組み合わせて固定し、並びに、前記第一外端線と前記第二外端線を隣り合わせて環状構造をつくると、前記環状構造内部には靴の前方に通して定位する配置口が形成される。また、前記連結部品には連結位置を変えられる一対のオス連結部とメス連結部を含む。使用者は、前記オス連結部とメス連結部の連結部品を用いて、前記環状構造の円周の大きさと前記配置口の口径の大きさを調整し、並びに、前記オス連結部とメス連結部はそれぞれ前記第一外端線及び第二外端線に組み合わせて固定し、使用者は前記環状構造を開くか閉じるかを選択することができるため、使用者は、本考案を靴前方の適当な位置に便利に固定することができる。
【００１１】
前記長形薄体は耐磨耗材質によって構成するため、使用時の磨耗によって直ちに損傷することはない。
【００１２】
前記滑り止め部品は前記長形薄体の底部に設け、前記長形薄体から内側方向に窪む複数の円形の溝によって構成され、並びに、前記円形の溝によって形成される吸盤構造は、複数の大吸盤と複数の小吸盤を含み、吸盤は地面への吸着を助け、摩擦係数を高め、また、前記溝はスニーカーの靴底の模様とし、靴の滑り止め構造を変化させることができる。
【００１３】
前記長形薄体の前部には前記溝を納め、貫通しない設定した厚みを備えさせ、尚且つ後部を徐々に薄くなるため、使用者の歩行時には本考案は地面に密着し、尚且つ比較的厚みのある前部が重心位置となる。
【００１４】
また、前記滑り止めベルトには別の形態を備え、ベルト状本体、複数の交換可能な滑り止め部品、左延伸ベルト、右延伸ベルト、及び連結部品を含む。前記左延伸ベルト、右延伸ベルト、及び連結部品は第一種の形態と同様であるため、ここでは説明を省く。
【００１５】
前記長形薄体には前記交換可能な滑り止め部品に組み合わせる複数のホールを備え、前記交換可能な滑り止め部品には位置限定下敷部と滑り止め体を含む。前記位置限定下敷部には前記ホールの大きさを超える設定をした幅を備え、前記滑り止め体には設定した高さを備える。前記設定した高さは、前記滑り止め体を前記ホールから十分に突出する高さとし、必要距離を達成することができる。使用時には、前記滑り止め体を上から下に前記長形薄体の前記ホールに貫通させると、前記位置限定下敷部は前記交換可能な滑り止め部品の位置を前記長形薄体の上面に限定する。本考案を靴の前方に被せた時、前記交換可能な滑り止め部品は相対するホールに固定され、これにより、靴の滑り止め構造を変化させ、並びに、前記滑り止め体の上端に備えた設定した幅によって、使用者は異なるサイズの交換可能な滑り止め部品を選択できる。
【００１６】
また、前記延伸ベルト及び／或いは連結部品の外端面に設けた装飾品によって、使用者は靴に組み合わせる色、形状、模様を選択できるため、本考案は滑り止め効果を加えるだけでなく、美観の向上に役立つ。
【考案の効果】
【００１７】
本考案は、靴の外側に繞設するベルト上に滑り止め部品を設置し、靴自体の構造を変化させずに靴の滑り止め構造を変化させ、並びに、滑り止め部品は一体成型或いは取外し交換できる方式で構成することにより、滑り止めベルトの実用性をさらに高め、尚且つ滑り止めベルトの外側に装飾部品を備えて、ベルト結合後の靴の美観を高める効果を有する。
【図面の簡単な説明】
【００１８】
【図１】本考案靴用滑り止めベルトの第一実施例の立体図である。
【図２】本考案第一実施例の分解図である。
【図３】本考案第一実施例の滑り止めベルト底部の滑り止め部品の断面図である。
【図４】本考案第二実施例を開いた状態を示す図である。
【図５】本考案靴用滑り止めベルトの第三実施例を開いた状態を示す図である。
【図６】本考案第三実施例の滑り止めベルト底部の滑り止め部品の断面図である。
【図７ａ】本考案靴用滑り止めベルトをハイヒールに取り付けた使用状態図である。
【図７ｂ】本考案靴用滑り止めベルトをハイヒールに取り付けた使用状態図である。
【図８ａ】本考案靴用滑り止めベルトの外端面に設置した装飾部品を示す図である。
【図８ｂ】本考案靴用滑り止めベルトの外端面に設置した装飾部品を示す図である。
【図９】本考案靴用滑り止めベルトの第四実施例を開いた状態を示す図である。
【図１０】本考案靴用滑り止めベルト底部の交換可能な滑り止め部品を示す図である。
【図１１ａ】本考案第四実施例の交換可能タイプ滑り止め部品の立体図である。
【図１１ｂ】本考案第四実施例の交換可能タイプ滑り止め部品の立体図である。
【図１２ａ】本考案第四実施例をスポーツシューズ上に取り付けた使用状態図である。
【図１２ｂ】本考案第四実施例をスポーツシューズ上に取り付けた使用状態図である。
【図１３ａ】本考案第五実施例の側面図である。
【図１３ｂ】本考案第六実施例の側面図である。
【考案を実施するための形態】
【００１９】
次に、本考案の構造、使用及びその特徴について更に深く御理解いただく為に、好ましい実施例を挙げ、図面を組み合わせた詳細説明を行う。
【００２０】
図１及び図３の第一実施例に示すとおり、本考案の靴用滑り止めベルトは主に、ベルト状本体１０、左延伸ベルト２０、右延伸ベルト３０、及び連結部品４０を組み合わせて構成される。
【００２１】
前記ベルト状本体１０は、靴幅に合わせるための長形薄体１１と、長形薄体１１から延伸して設置される滑り止め部品５０とを含む。第一実施例において、前記長形薄体１１は耐磨耗材質によって構成するため、前記長形薄体１１を使用時の磨耗によって直ちに損傷することはない。
【００２２】
この他、前記長形薄体１１には左側に位置する第一端線１１１と右側に位置する第二端線１１２を備え、前記左延伸ベルト２０には第一内端線２０１と第一外端線２０２を設ける。前記第一内端線２０１は前記第一端線１１１に組み合わせて固定する。前記右延伸ベルト３０には第二内端線３０１と第二外端線３０２とを設け、前記第二内端線３０１は前記第二端線１１２に組み合わせて固定し、並びに、前記第一外端線２０２と前記第二外端線３０２を隣り合わせて環状構造をつくると、前記環状構造内部には靴の前方に通して定位する配置口が形成される。
【００２３】
第一実施例において、前記連結部品４０にはオス連結部４１とメス連結部４２を含む。前記オス連結部４１は前記右延伸ベルト３０の第二外端線３０２に取り付けて固定し、前記メス連結部４２は前記左延伸ベルト２０の第一外端線２０２から外側方向に設定した長さを延伸させて構成し、並びに複数のベルト穴４２１を設け、連結位置を変えられる一対のオス連結部４１とメス連結部４２の連結部品を形成する。使用者は、前述した連結位置を変えられる一対のオス連結部４１とメス連結部４２の連結部品を用いて、前記環状構造の円周の大きさと前記配置口の口径の大きさを調整し、並びに、前記環状構造を開くか閉じるかを選択することができるため、使用者は、本考案を靴前方の適当な位置に便利に固定することができる。
【００２４】
図４の第二実施例において、前記連結部品４０のオス連結部４１とメス連結部４２にはマジックテープ（登録商標）構造を設けるが、前記連結部品４０の二つの実施例は本考案を説明するために開示したもので、本考案を制限するものではなく、本考案は、その他の各種タイプの連結部品を採用して実施し、連結位置を変えられる別のオス連結部とメス連結部を構成することも可能である。
【００２５】
前記滑り止め部品５０は前記長形薄体１１から一体延伸して構成され、前記長形薄体１１は内側方向に複数の溝１２をへこませ、並びに、前記溝１２を円形に設け、これによって形成される吸盤構造は、複数の大吸盤１２１と複数の小吸盤１２２を含み、吸盤は地面への吸着を助け、摩擦係数を向上させ、靴の滑り止め構造を変える。
【００２６】
図５及び図６の第三実施例に示すとおり、前記溝１２は一般によく見られる鋸歯タイプのスニーカーの模様とし、これによって、靴の滑り止め構造をスニーカーの滑り止め構造に変え、靴底の模様のデザインに美観を備える。但し、前記鋸歯タイプのスニーカーの模様は、本考案を説明するために用いたもので、制限を加えるものではない。
【００２７】
図７ａ及び図７ｂは、本考案の靴用滑り止めベルトを靴の前方に繞設した形態を示す。
【００２８】
図３及び図６から理解される通り、前記長形薄体１１の前部には前記溝１２を納め、貫通しない設定した厚みを備えさせ、尚且つ後部を徐々に薄くしているため、使用者は歩行時に突出している感じを受けることがない。また、本考案を更に地面に密着させ、比較的大きく厚みを備えた前部が重心位置となる。
【００２９】
図８ａ、図８ｂに示すとおり、前記連結部品４０の外端面に装飾品７０を設け、使用者は靴に組み合わせる色、形状、模様を選択できるため、本考案は滑り止め効果を加えるだけでなく、美観の向上に役立つ。
【００３０】
図９乃至図１２に示した第四実施例は、ベルト状本体１０、左延伸ベルト２０、右延伸ベルト３０、及び連結部品４０を含む。前記ベルト状本体１０は、靴幅に合わせるための長形薄体１１と、前記長形薄体１１の底部に着脱できる交換可能な滑り止め部品６０を含む。前記長形薄体１１には左側に位置する第一端線１１１と右側に位置する第二端線１１２を備える。前記左延伸ベルト２０には第一内端線２０１と第一外端線２０２を設け、前記第一内端線２０１は前記第一端線１１１に組み合わせて固定し、前記右延伸ベルト３０には第二内端線３０１と第二外端線３０２を設け、前記第二内端線３０１は前記第二端線１１２に組み合わせて固定し、並びに、前記第一外端線２０２と前記第二外端線３０２を隣り合わせて環状構造をつくると、前記環状構造内部には靴の前方に通して定位する配置口が形成される。
【００３１】
第四実施例において、前記連結部品４０にはオス連結部４１とメス連結部４２を含む。前記メス連結部４２は前記左延伸ベルト２０の第一外端線２０２に取り付けて固定し、前記オス連結部４１は前記右延伸ベルト３０の第二外端線３０２に取り付けて固定し、前記左延伸ベルト２０及び右延伸ベルト３０は伸縮材料によって構成し、並びに前記伸縮材料によって靴に合わせて前記環状構造の円周の大きさと前記配置口の口径の大きさを変化させ、使用者は前記オス連結部４１とメス連結部４２を用いて前記環状構造を開くか閉じるかを選択することができるため、使用者は、本考案を靴前方の適当な位置に便利に固定することができる。
【００３２】
前記長形薄体１１と前記交換可能な滑り止め部品６０は耐磨耗材質によって構成され、尚且つ前記長形薄体１１には前記交換可能な滑り止め部品６０に組み合わせて設置する複数のホール１３を備え、前記交換可能な滑り止め部品６０には位置限定下敷部６１と滑り止め体６２を含む。
【００３３】
本実施例において、前記交換可能な滑り止め部品６０はスパイクシューズに使用する突起とし、前記位置限定下敷部６１に基底とする円形を設け、前記位置限定下敷部６１の中央に位置する滑り止め体６２には突き出した突起を設ける。前記滑り止め体６２の底部は前記ホール１３に合わせて同じ大きさの周長６２１を備え、前記滑り止め体６２には設定した高さ６２２を備える。前記設定した高さ６２２は、前記滑り止め体６２を前記長形薄体１１の前記ホール１３に上から下に貫通させた時に前記ホール１３から突き出し、必要距離を達成することができ、並びに、前記位置限定下敷部６１が前記長形薄体１１の上面の位置を限定するため、本考案を靴の前方に被冠した時、靴底は固定され、前記交換可能な滑り止め部品６０が滑り動いて抜け落ちることがない。また、前記滑り止め体６２の上端には設定した幅６２３（Ｌ１）と６２４（Ｌ２）を備えるため、使用者は異なるサイズの前記交換可能な滑り止め部品６０を選択し、靴の滑り止め構造をスパイクシューズの滑り止め構造に変えて、使用者の要望に応えることができる。
【００３４】
前記に挙げた交換可能な滑り止め部品６０は、本考案を説明するためのもので、本考案を制限するものではなく、その他の各種形状の滑り止め体６２を採用し、異なる滑り止め効果を発揮し、異なる滑り止め構造や美観を作り出す目的を達成することもできる。尚、各種簡易な変形及び修飾は全て本考案の実用新案登録請求の範囲内に含まれるものとする。
【００３５】
図１３ａに示した第五実施例は、前記第一実施例の連結位置を変えられる連結部品４０と第四実施例の交換可能な滑り止め部品６０を組み合わせたものである。
【００３６】
図１３ｂに示した第六実施例は、前記第一実施例の滑り止め部品５０と第四実施例の連結位置を変えられない連結部品４０と伸縮材料によって構成される左延伸ベルト２０と右延伸ベルト３０を組み合わせたものである。
【００３７】
前述した実施例は、単に本考案を説明するために用いた例であり、本考案を制限するものではなく、本業界に通じる技術者が、本考案の本質を逸脱せずに、本考案の実用新案登録請求の範囲及び説明書に基づいて行った各種の簡易な変形及び修飾は全て後述する実用新案登録請求の範囲に含まれるものとすることを明記する。
【符号の説明】
【００３８】
１０  ベルト状本体
１１  長形薄体
１１１  第一端線
１１２  第二端線
１２  溝
１２１  大吸盤
１２２  小吸盤
１３  ホール
２０  左延伸ベルト
２０１  第一内端線
２０２  第一外端線
３０  右延伸ベルト
３０１  第二内端線
３０２  第二外端線
４０  連結部品
４１  オス連結部
４２  メス連結部
４２１  ベルト穴
５０  滑り止め部品
６０  交換可能な滑り止め部品
６１  位置限定下敷部
６２  滑り止め体
６２１  周長
６２２  設定した高さ
６２３  設定した幅
７０  装飾品
【図１】
0003177564.tif 000003
【図２】
0003177564.tif 000004
【図３】
0003177564.tif 000005
【図４】
0003177564.tif 000006
【図５】
0003177564.tif 000007
【図６】
0003177564.tif 000008
【図７ａ】
0003177564.tif 000009
【図７ｂ】
0003177564.tif 000010
【図８ａ】
0003177564.tif 000011
【図８ｂ】
0003177564.tif 000012
【図９】
0003177564.tif 000013
【図１０】
0003177564.tif 000014
【図１１ａ】
0003177564.tif 000015
【図１１ｂ】
0003177564.tif 000016
【図１２ａ】
0003177564.tif 000017
【図１２ｂ】
0003177564.tif 000018
【図１３ａ】
0003177564.tif 000019
【図１３ｂ】
0003177564.tif 000020